(57)【要約】  スプリングバネを含有する保持器の一種であり、この保持器はカム仕組みを取り込み、いろいろ形態の物体を強固的に保持するための力を活化できるものに関する。この様な保持器は厚さの違ったアートつづったシートを保持するため写真額縁の中に取り付けられる。新開発の保持器を有するこの写真額縁は、張り器上のカンバス画や後方に折り曲げられた使用済みのカレンダや三次元アートを保持するとそのデスプレーにも利用できる。この保持器はファンボードや掲示板やポスターボードの様なボード物に適用するためにさらに改造できる。この様な額縁入りアートアンセンブルは小売店で販売するために考案された。各アンセンブルは本発明の保持器を含有する額縁と複数の寸法標準化されたアートシートを含む。
2007504930.tif 000002
【特許請求の範囲】
【請求項１】
厚さの違った、一か二つのアートシート積み重ねを保持する写真額縁であり、この額縁は,(A)カム式保持器と(B)写真額縁本体を含む。（A）は、(a)第一保持器構成部と(b)第二保持器構成部からなり、その内、（b）は 、(i) 第一保持器構成部と第二保持器構成部の回転を駆動するスプリングバネを含み、額縁内のアートシート積み重ねを保持する必要な力の根源となり、(ii) 第二保持器構成部を第一保持器構成部に連結し、また第一保持器構成部と第二保持器構成部を相関的に回転させるの手段にもなる。（B）は、(a)カム式保持器の取り付けと、(b)アートシート積み重ねの収容及びそのデスプレーに提供する。
【請求項２】
請求項1の写真額縁に於いて、(a)カム式保持器はピンを有し、(b)第一保持器構成部はそのピンを部分的に包むスリーブを有し、(c) 第二保持器構成部の手段はそのピンを部分的に包む。
【請求項３】
請求項1の写真額縁に於いて、(a) その第二保持器構成部は写真額縁本体に対して、非回転であり、また写真額縁本体に取り付ける回転保持器ベースを持つ、(b) その第一保持器構成部は、脱出自在的にアートシート積み重ねを保持する回転保持器プレートを有する。
【請求項４】
請求項3に於いて、固定保持器ベースに対して回転する回転保持器プレートは(a)脱出自在的にアートシート積み重ねを保持する回転保持器プレートにトルクを掛ける活性化領域と(b) 回転保持器プレートにトルクを掛けない反活性化領域の間に回転しうる。
【請求項５】
請求項3の写真額縁にある第二保持器構成部は、スプリングバネを保持するために、さらにプランジャーを有する。
【請求項６】
請求項5の写真額縁にあるプランジャーは、回転保持器プレートの回転運動を誘導するために、その回転保持器プレートと噛み合えるランプ表面を有する。
【請求項７】
請求項1の写真額縁に於いて、(a)その第一保持器構成部は額縁本体に対して非回転であり、また額縁本体に取り付けられた固定保持器ベースを持つ、(b)その第二保持器構成部は、脱出自在的にアートシート積み重ねを保持する回転保持器プレートを有する。
【請求項８】
請求項7の写真額縁に於いて、その第二保持器構成部は、スプリングバネを保持するため、さらにプランジャーを有する。
【請求項９】
請求項1の写真額縁に於いて、そのスプリングバネは圧縮スプリングバネである。
【請求項１０】
請求項1の写真額縁は、さらに二つの、額縁本体上に取り付けるカム式保持器を含む。
【請求項１１】
請求項1の写真額縁は、さらに四つの、額縁本体上に取り付けるカム式保持器を含む。
【請求項１２】
請求項1の写真額縁に於いて、その額縁本体は、(a) カム式保持器を取り付けるため、また(b) アートシート積み重ねを収容するため、平板を持つ。
【請求項１３】
請求項12の写真額縁は、さらに、アートシート積み重ねを保持する平板に取り付けられる、同様なカム式保持器複数個を含む。
【請求項１４】
請求項1の写真額縁はさらに同様なカム式保持器を二つ含み、その額縁本体は、(a) 同様のカム式保持器を取り付けるため、また(b) アートシート積み重ねを収容するため、一つの平板を持つ。カム式保持器の内、一つは第一のアートシート積み重ねを、も一つは第二のアートシート積み重ねを保持する。
【請求項１５】
厚さの違ったアートシート積み重ねを保持する写真額縁であり、この額縁は、(A)そのアートシート積み重ねの一つをデスプレーするための額縁本体と、(B)カム式保持器からなる。このカム式保持器は、(a) 額縁本体の上に取り付けられる、一つの固定保持器ベース、(b)写真額縁に脱出自在的にアートシート積み重ねを保持する回転保持器プレートと、(c) その回転保持器プレートに回転運動を誘導するためのスプリングバネを有する。
【請求項１６】
請求項15の写真額縁に於いて、その回転保持器プレートは、固定保持器ベースに対して、(a)アートシート積み重ねを保持する回転保持器プレートにトルクを掛ける活性化領域と(b)同回転保持器プレートにトルクを掛けない反活性化領域の間に回転する。
【請求項１７】
請求項15の写真額縁にあるスプリングバネは圧縮スプリングバネである。
【請求項１８】
請求項15の写真額縁はさらにそのスプリングバネを保留するためのプランジャーを有する。
【請求項１９】
請求項18の写真額縁のプランジャーは、回転保持器プレートと噛み合えるランプ表面を有し、その回転保持器プレートに回転運動を誘導する。
【請求項２０】
額装のアートは、(A)標準平面寸法を持つアートシートと(B)アート額縁からなる。その額縁は、(a)実質的にこの標準平面寸法を持つアートシートに相当する内面寸法を有する額縁本体と、(b)幾つかのカム式保持器を有する。これらのカム式保持器は(i)額縁本体の上に取り付けられる固定保持ベース、(ii) 写真額縁に脱出自在的にアートシートを保持する回転保持器プレートと、(iii) その回転保持器プレートに回転運動を誘導するためのスプリングバネを有する。
【請求項２１】
請求項20の額装のアートにあるスプリングバネは圧縮型スプリングバネである。
【請求項２２】
請求項20の額装のアートは、さらにマットボードを持ち、このマットボードの平面寸法は標準アートシートの寸法と同様である。
【請求項２３】
請求項20の額装のアートは、さらに第二のアートシートを有し、この物は、額縁に収容され、またカム式保持器によって保持される。
【請求項２４】
請求項20の額装のアートは、さらに額縁グラスを有し、このグラスの平面寸法は標準アートシートの寸法と同様である。
【請求項２５】
額装のアートは、(A)一つのカレンダーブークと(B)一つの窓を持つマットボードと、(C)一つの写真額縁からなる。そのカレンダーブークは、複数のカレンダー写真と複数の暦日表を有し、その中の一枚の写真を展示できるように後方に折り曲げられた。また、その写真額縁は、(a)一つの額縁本体と、(b)スプリングバネを取り込んでいる保持手段を含む。この手段は、(i)マットボードを写真額縁に取り付けるためと、(ii) 一時的に脱出自在および後方に折り曲げられたカレンダーブークを保持し、その中の一枚のカレンダー写真をマットボード窓に見せるために使われる。
【請求項２６】
請求項25の額装のアートにおいて、そのスプリングバネを取り込んでいる保持手段は一つのカム式保持器を有する。この保持器は、(a) 額縁本体の上に取り付けられた、一つの固定保持器ベース、(b)写真額縁に脱出自在的に後方に折り曲げられたカレンダーブークを保持する回転保持器プレートと(c) その回転保持器プレートに回転運動を誘導するためのスプリングバネを有する。
【請求項２７】
請求項25の額装のアートにおいて、そのスプリングバネを取り込んでいる保持手段は一つの圧縮板バネを含む。
【請求項２８】
請求項25の額装のアートはさらに、上の写真額縁に収容され、上のスプリングバネを取り込んでいる保持手段に保持された第二のカレンダーブークを含む。
【請求項２９】
額装のアートは、(A)一つのカンバスアートシートと、(B)カンバスアートシートを張るための張り器と(C)写真額縁を含む。この写真額縁は(a)一つの額縁本体と(b)その張り器とカンバスアートを、脱出自在的に保持するためのスプリングバネを取り込んでいる保持手段を含む。
【請求項３０】
請求項29の額装のアートにおいて、そのスプリングバネを取り込んでいる保持手段はカム式保持器を含む。このカム式保持器は(a) 写真額縁本体に取り付けられる一つの固定保持器ベースと、(b) 脱出自在的に張り器とカンバスアートを保持する回転保持器プレートと、(c) その回転保持器プレートに回転運動を誘導するためのスプリングバネを含有する。
【請求項３１】
請求項29の額装のアートはさらに(D)写真額縁本体に取り付けられるライナー額縁を含む。
【請求項３２】
請求項29の額装のアートに於いて、その張り器はワンピース成形のものである。
【請求項３３】
請求項32の額装のアートは、その張り器の堅直性を増強するために格子を含有する。
【請求項３４】
請求項29の額装のアートはさらに(D) スプリングバネを取り込んでいる保持手段によって保持される第二のカンバスアートシートと、(E)このカンバスアートシートを支える第二の張り器を含有する。
【請求項３５】
請求項29の額装のアートはさらに(F)その写真額縁に入ったカンバスアートシートと第二のカンバスアートシートを互いに離れるように間隔を作るスペーサを含有する。
【請求項３６】
ある額装のアートは、(A)一つの額縁ガラス、(B)一つの三次元アート、(C)この三次元アートを支える保持ボード、(D) 額縁内にボードの上に少なくても一つの三次元アートとガラスを脱出自在的に保持するためのスプリングバネを取り込んでいる保持道具を含むアート額縁からなる。この保持ボード(C)は、ガラス(A)
とほぼ同じ大きさを持ち、かつ、ガラスの後と平行に取り込まれる。
【請求項３７】
請求項36の額装のアートにおいて、そのスプリングバネを取り込んでいる保持手段はカム式保持器を含む。この保持器は、(a)アート額縁に取り込まれた一つの固定保持器ベース、(b)一つの回転式保持器プレート、(c) 額縁内にボードの上に少なくても一つの三次元アートとガラスを脱出自在的に保持するための回転式保持器プレートに回転運動を誘導するためのスプリングバネを含有する。
【請求項３８】
請求項36の額装のアートはさらに、保持ボードの前に、一つのスペーサを有する。このスペーサは、三次元アートを収容できるように、ガラスと保持ボードの間に間隔を作る。
【発明の詳細な説明】
【技術分野】
【０００１】
本発明はシートアートを保持および展示すること、それとともにこのシートアートを保持および展示するための道具、例えば、写真の額縁あるいはシートボードの様なものにも関する。ここにシートアートと言うものは写真、プリントあるいは所謂他の展示するためのシート材料にも当てはまる。
【背景技術】
【０００２】
以下の討論では写真額縁あるいは単に額縁と言うものは、商品取引に二つの形式に分けられる。第一の形式は写真額縁またフォート額縁とも言う。このものはシートアートと別に販売される。消費者は主にこの額縁に個人の写真を入れる。時々高等学校卒業証明書のような、写真以外のものにも使われる。
【０００３】
使い易さから見ると、普通の額縁は使用の限度がある。たとえば繰り返して違う写真やアートシートのデスプレーすることができても、せいぜい一か二枚しか展示できない。その上、額縁の裏にある保持道具、たとえば、ターンボタンのようなものは、その機能が消極的である上、弱いで、額縁の内部より小さい写真が入る場合、位置のずれることは避けられない。接着剤を使えばそのずれることは避けられるが、マットボードと写真の破壊する危険があり、その再利用を妨げる。
【０００４】
前もって除去可能な、何枚かのスペーサボードを詰め、写真の枚数が増えるに連れて、スペーサボードを除去出来る額縁もある。しかし、スペーサボードの厚さは必ず写真の厚さと同じなものではない。そのため、きちんとこれらの写真を保持することは無理である。
【０００５】
第二の形式の額縁は、アート額縁である。このアート額縁は、普通アートを買う時に額縁屋さんは作ってくれたものである。その主な機能はアートのデスプレーおよび保護である。この様な使い方は、高い金額な複製限定版やオリジナルな作品に向いている。当然のことで、この様な額縁は、他の使用を許さず、額装されたアート作品と一緒に存在する。
【０００６】
額縁がアートシートより高価であることは珍しくない。例えば、あの有名な、モナリザの絵 (50 cm x 70 cm, 20インチ x 27インチ) は、ルヴル博物館から一般のカップルの晩食代金に相当する金額で手に入れる。この絵を見栄えよく見せさせるための額縁は多分、何倍の値段で買わなければならないだろう。
【０００７】
現代の印刷技術の普及さおよびコンピュターグラフィックのお陰で、多くのオリジナルのシートアートは安いお金で奇麗に複製できる。普通の環境の中で、額縁内で、アルカイブ級のインクジェットカラー複製品は百年以上を過ぎてもその品質はそれほど変わらない。割りに安価で大量生産の商品化された高級なアートシートはそれよりも長く保存できるだと思う。
【０００８】
納得しにくいのようだが、多くの額縁はアートシートの本当の価値より高い。このことは本来、貴重な芸術品を保存するアイディアーから来たではないかと考えられる。額縁を繰り返して使用することは考えられないようである。
【０００９】
人々は通常では自分の家で飾るために額縁を必要以上に買わない。しかし、アートシートの購入は同じな制限はない。当然のことで、高いお金で手に入った額物ですからそれをよく利用すべきではないかと誰でも考える。現在の販売された額縁はこのような期待に対して答えられない。
【００１０】
多くの人にとって、額装のアートを買うことは、ただ一時の心のはずみのことである。半年になって、そのアートシートを飽き、違うもので取り替えたいかも知らない。その時、ほっとしたら高いお金で手に入った額縁は他のアートシートに使われるかどうかを考えるかも知れない。インテリアの改良するため、あるいは、美観をよく変わる人々にとって、多度使用できる額縁はとても都合の良いものかも知れない。
【００１１】
多くの額装シートアートは、ブラドかステープルで額縁と一緒に固定される。これらの固定器具は、一般に額縁の再使用の都度に取り除かなければならない。固定器具を取り除く時に、当然特別な道具を必要する上、熟練者でないと仕事が出来ない場合もある。接着剤でクラフト紙を額縁に張ったの痕のお陰で、その額縁の再度使用をあきらめることもある。
【００１２】
額縁の再使用のさい、今までのシートアートものはどうのように片づけるかの問題になる。普通の壁掛ける額縁の中に、サイズの大きな物は多い．そうなると、取り出したマットボードを含んでシートアートものも大きいためその後処理は簡単でない。片づけの問題があるため、額縁の再使用をしないままで、家の屋根裏か地下室に隠してしまう。
【００１３】
カレンダーは普通１２枚のプリントを持つ。この１２枚のプリントは帳簿（ブック）の形に留め合わせられる。著作権保護に関する連邦法の決めで、これらのプリントをブックから外してデスプレーすることを許さない。カレンダー全体をディスプレーするための額縁はまだ存在しない。残念ながら使い終わったカレンダーはたとえ奇麗なプリントがあってもその後の使い道がない。
【００１４】
クリップボードや掲示板みたいなものを使い、あまりお金をかからずにアートシートを展示する方法もある。これらの対策はそれほど普及ではない。バネを利用するスプリンクリップのようなものは、使いにくい上、見た目で良くない。掲示板の場合では、接着剤あるいは画鋲を利用して物をはる。しかし、枚数の多いものに対して、接着剤や画鋲は物を止める力が足らず、掛けられたものの鑑賞を邪魔する。
【００１５】
最近の調査によると、２００２年度の壁掛けの額装と額縁無しのアートシートの総消費金額は米国において２９０億ドールにも達する。この金額は次のように四つの部類に分けられた。その中の７０億ドールはカスタムフレームアートに、８６億ドールは額縁入り前のアートに、９０億ドールはオリジナルアートに、残りの４４億ドールは額縁無しアートに使われた。
【００１６】
カスタムフレームアートの消費者は、一般に自分達が洗練したアートバイヤーと自称している。彼らはアート画廊から名前やカテゴリーを知っていた作品を購入する。その後、アートをカスタムマフレームする。
【００１７】
多くの画廊とカスタムフレーム屋は、ママパパファミリで運営している。そのため、小売りのアートストアーはそれほどアートシートを持っていない。気に入ったアートを買いたいアートバイヤーは売る先のところを探さなければならない場合がある。
【００１８】
同じアートバイヤーは、例えば、画廊のコレクションに目を通して、偶然に気に入ったアートシートを見ける場合がある。
【００１９】
今日の画廊のアートシートは殆ど透明なビニル袋の中に入っている。これらの袋は各々のアートシートの大きさに合わせて作られた。当然大きい物は重い。一枚一枚のアートシートを見ること自体は力がいる。棚から二三十枚を見て気に入ったものを探す事は大変な労働である。
【００２０】
予知できない物を、アートシートあるいはそのビニル袋一枚一枚を繰り上げて見る事はとても非能率である。多くの人はせいぜい二三十枚を見るぐらいでもうあきらめる。
【００２１】
上の探し方と比べて、インターネットと出版社のカタログを利用する方がより簡単である。同じページで何枚のアートシートの見本を見ることができる。またインターネットの場合に、好きな見本の上にクリックをすれば、そのアートシートのプリントの拡大ができる。しかし、サイズが拡大されても、買いたいものを触ったり、実感することができない。
【００２２】
第二部類の額装アートはホームファーニシュストアー、デパート、専門店、マスチャネルのようなチェン業者に通して販売される。この部類のお客さんは既製品を好む若い者が殆どである。店スペースの制限により、既製品の数が限られる。買いたいものは買えないため、その近いものを買ってしまい、その後、後悔する人もいる。半年後、気に入ってないアート既製品は結局他の用途がないまま、地下室か屋根裏に片付けされてしまう。
【００２３】
第三部類のものはオリジナルアートである。そのうちポートレート写真や家族写真みたいなもの、壁掛け額装のオリジナル写真が多い。これらの写真は一般に写真館から封入された状態で額縁と一緒に購入する。この額縁はその後、他の写真と取り替えて使えないと言う現状である。
【００２４】
最後のアート部類は額縁無しアートである。若者の様に、ポスターを買ってただ壁に張るだけ。その原因は、額縁を嫌うことから来たではなく、額縁そのものが高い上、若い人達の趣味の変化に適用性が欠けていることからである。
【発明の開示】
【００２５】
この発明はスプリングバネを有する保持器に関する。この保持器は次の様なものを含む：保持器ベース、保持器プレート、カム仕組み。このカム仕組みはプランジャーと一つか二つの圧縮スプリングバネを含む。保持器プレートは反活性化領域と活性化領域の間に廻れる。この保持器プレートを活性化領域に手で動くと、カムアクションの始動のため、保持器プレートに保持力を掛け、厚さの違うシート物の積み重ねや他の飾り物を強く保持する。
【００２６】
次に、以上の保持器一つか二つを含む新式の写真額縁を述べる。この写真額縁の保持器は、展示に使われるアートシート積み重ねものと未使用のシート積み重ねものと一緒に保持できる。この額縁はユーザフレンドリーと使いし易い利点がある。実用上、必要があれば、額縁サイズより小さい、また等しいマットボードがあれば、何なアートシートでもこの額縁に収容できる。デスプレーする間に接着剤を使い、マット裏にアートシートを固定する必要がない。複数のアートシートとマットボードは一緒の所で収容されたため、アートシートのデスプレーの切り替えは簡単である。
【００２７】
できれば、収容する額縁とマットボードに填められる、サイズが標準化される複数枚のアートシート、マットボードと額縁を含む一額装ものの集まりで売買される。標準化されたサイズを持つこの複数アートシートはスプリングバネを持つ額縁と一緒に、消費者の心に一つの共働効果を働きかける。本発明のアート額縁は、購入者に早く変化可能なデスプレーの実行と鑑賞の直接なチャンスを与える。結果としてこの額装アート集まりの売り上げは強い刺激を受け、快調な方向に進むに違いない。
【００２８】
本発明の額縁は、シートアート以外に、他の額装できるアートにも通用する。張り器の助けでカスタムカンバス張りの油絵とアクリル絵はこの額縁に自由自在に出入り、場合によって、ライナー額縁を借るぐらいで、填められる。カスタマフレームサービスはいっさい要らない。
【００２９】
本来のカンバス張り器は木製で、嵩張る物が多い。本考案のものでは、プラスチック製を使う。プラスチック製の張り器はその中心部に格子をもって硬度の増加の利点以外にその厚さを大いに減少できる。この厚さの減少によって、額縁毎に、一つ以上のカンバス張り器を填められ、未使用のカンバスアートデスプレーの交換と貯蔵を許せる。
【００３０】
本額縁は、深いさねはぎを持つため、シャドーボックスの様に、ドライフラワー、貝殻、コイン、パッチワークなど、三次元の飾り物の展示に適する。この場合、フレーム道具は要らない。全ての部品はサイズで統一になって、取り付けの板まで提供される。使用者はただその三次元の飾り物を板の上に填めるだけで済む。
【００３１】
この額縁の保持器はシャドーボックスの深さの調節を簡単にする。額縁組立の原形の復元およびその再利用は可能である。三次元の飾り物と板の交換は簡単にできる。同じの額縁を使って、シートアートや油絵を張り器の上にデスプレーできる。
【００３２】
本発明の写真額縁は、期限に過ぎた、月制のカレンダーブックの新しいデスプレーと収容に使われる。デスプレーする時に、このカレンダーブックの見せたい写真を前に持て、合うマットボードの中に入る。まだ見せたくないカレンダーボックは、ただこの額縁の中に収容される。
【００３３】
本発明の保持器は、ファンボード、掲示板、ポスターボードなどの物にも通用する。特別の用心することは、子供の使え易しさと安全性ぐらいである。この保持器は、その固有するトルクの最高限に、あるいは最高限近いに駆動出きるように保持器の機構デザインが改良された。
【実施例】
【００３４】
図1-4は本発明のスプリングバネ搭載保持器の第一実施形態を示す。図1の保持器30は２個の木工ねじ34で写真額縁の上に取り付けられた。この写真額縁32は額縁本体36を持ち、その横断面を見せるために一部が切り抜けられた。図に示される様に、本額縁本体36のモールディングは本来の物と比べて、二つさねはぎ38の外にステップ40を持つ。このステップ40は、同図に示すように保持器30を取り付けるために必要である。
【００３５】
図2は、この保持器30の組み立て完成と分解した状態を詳細に見せてくれた。この保持器30は主に一つの固定保持器ベース42、一つの回転可能保持プレート44、プランジャー48と二つの圧縮スプリングバネ50を備えるカム仕組み46および二つのピン52を含む。
【００３６】
固定保持器ベース42は、金属のスタンプと曲げ加工で作られる。この保持器ベース42の両末端に、図1に示したように、額縁本体36上にその取り付けために木工ねじを受ける二つの穴が開けられた。この受け穴の隣りに、曲げ加工で出来た二つの側面フランジー54である。側面フランジー54の末端はカール加工され、カールあるいはスリーブ56になる。二つの側面フランジー54の間にセンターフランジー58が入り、その末端は曲げ加工されて、直角曲げ60になって二つの側面フランジー54と平行に存在する。
【００３７】
回転可能器プレート44も金属のスタンプと曲げ加工で図に示す様に作られた。この保持器プレート44の後ろ末端も曲げ加工され、カールあるいはスリーブ62になる。このカール62の中部に欠切部64がある。この欠切部64の切り口は、後の説明で、なるべく丸めで仕上げされる。保持器プレート44の先端も少し曲がり、円滑な接触表面66を作る。
【００３８】
図2に見られるように、固定保持器ベース42と回転保持器プレート44の間に、プランジャー48と二つの圧縮スプリングバネ50を備えるカム仕組み46が入る。プランジャー48は高強度の成形プラスチックブロックから出来た。このプランジャー48の片側に二つの圧縮スプリングバネ50を収容するためのプランジャーホェル67が設けられ、その反対側に突起したラム表面が成形された。プランジャーブロック48の上の右角と下の右角に二つの段落70ができた。 プランジャー48の左側に横に走る溝72が彫られた。図に見られる様に、センターフランジー58の直角曲げ60の外表面上に一つの凹部74が出来た。この事によって直角曲げ60の反対側に一つの突起76を作る。後に触れる様に、保持器器30が組立てた時、溝72は突起76と摺動性の関係でかみ合える。
【００３９】
最後に説明する物は、二つの金属ピン52である。各ピン52に頭部72と幹80を持つ。
【００４０】
保持器30の組立は、二つの側面フランジー54とセンターフランジー58の間にカム仕組み46を入れることから始まる。この時プランジャー48の二つの段落70間にある右側面部は保持器ベース42の二つ側面フランジー54の間に固定される。プランジャー48の左側に横に走る溝72はセンターフランジー58の突起76で留める。この制限される空間にあるプランジャー48の運動は、溝72が突起76の上にかみ合う時の圧縮スプリングバネ50に対する往復運動だけである。
【００４１】
次に保持器プレート44を保持器ベース42の二つのカール56間に入れる。この時、カール62がカール56の位置に来るまでに保持器プレート44のカール62でプランジャー48のラム表面68を押しつける。カール62とカール56に二つのピン52を入れることによりこの保持器の組立が完了する。勿論、説明のために詳細に述べたが、実際では、工場から組み立て済みの品物で販売される。
【００４２】
図３は、本発明の保持器30の詳細な使用方法を説明する。額縁本体36の物理的な制限のため保持器プレート44は破断線44'と44"の限界位置内にしか回転できない。
【００４３】
仮定として最初に回転保持器プレート44は第一限界位置44'にある。この場合、圧縮スプリングバネ50はプランジャー48を通して保持器プレート44のカール62に上向きの圧力を掛かっている。この圧力はカール62とラム表面68間に摩擦を起こすが保持器プレート44のラム表面68上の動きに妨害しない。この領域にカム運動が存在しないため、反活性化領域と呼ぶ。
【００４４】
特に注目されることして、カール62の切り抜いた部64の切り先は丸いのであり、その横断面に半円形で示す。保持器プレート44が図3Aに示す臨界位置に廻る時、この切り抜いた部64の切り先はラム表面68に接触し始まる。反時計回りにちょっとでも保持器プレート44を押すとカム運動を招く。この時、圧縮スプリングバネ50の上向きの圧力は、切り抜いた部64の切り先を通して保持器プレート44にトルクを掛ける。このトルクを受ける保持器プレート44は、図3B,3Cと3Dに示すように、つづったシート82、84あるいは額縁本体36に止められるまで反時計回りに廻る。
【００４５】
図3に示す保持器プレート44の臨界位置と第二限界位置44"間の領域は活性化領域と呼ぶ。この領域に保持器プレート44を動かすと、カムアクションが発生するため、保持器プレートは自ら反時計回りにつづったシート82,84あるいは額縁本体36に止められるまで廻る。
【００４６】
つづったシート82,84に止められると、カムアクションによる保持器プレート44に掛けるトルクはそのままに存続する。このことは、本発明保持器30の保持力の根源になる。
【００４７】
図3Bと3Cに見られるように、保持器プレート44がつづったシートに止められる時、カムアクションで発生したトルクはつづったシートに掛け続いている。図3Cにおけるトルクは、下向き保持力および保持器プレート接触点と回転軸間の間隔の結果である。この保持力はつづったシートを保持する、本当の力である。
【００４８】
図3Cに示すように、額縁が下に向いたときに、保持器プレート44の重さは、トルクから来た保持力以外に多少力を加えるだろうと思われる。しかし、使用時の額縁はまっすぐに掛けられることが殆どで、保持器プレート44の重さに頼らないはずである。
【００４９】
図3Bにおけるつづったシート82に掛かる力は、図3Cにおけるつづったシート82に掛かる力より大いに小さい。保持力差の理由は二要素による。第一に、図3Bにおけるカムアクションで作ったトルクは図3Cのその物より小さい。第二に、図3Bの様に、一定のトルクに対して、距離が長いほどその保持力が弱くなる。
【００５０】
図3Bに示すように、シート満載になるときの保持力を十分に要求するとき、より強いカム仕組み46が必要となる。この要求はより強い圧縮スプリングバネ50を使えば解決できる。力が足りない場合にはつづったシートの詰め込み数を半分か70%ぐらいに減らせる対策もある。額縁の深さの調整によりつづったシートが半分量でも扱うことができる。
【００５１】
上に説明したように、欠切部64の切り先は完璧に丸く仕上げられ、その断面は半円形であると仮定した。欠切部64の切り先はある程度丸く仕上げられ、不完璧な半円形である場合、カムアクションの働きはまだできるが、ただそのオンセット点は図3Aのものから外れる可能である。欠切部64の先が四角である場合、カムアクションの働きはまだ存続するが、円滑性は無くなる。欠切部64の切り先が大いに粗く仕上げられた場合、カムアクションの働きは途中で留められ、これを乗り越えるには余分な力を借りる必要がある。
【００５２】
図3Bか3Cの閉鎖位置から保持器プレート44を開くには、カムアクションから生じたトルクの反対向に保持器プレート44を引き、図3Aに示す臨界位置を越えるまで廻す。一旦反活性化領域に移る保持器プレート44は、かかるトルクが消えたため、その動きの制限がなくなり、額縁本体38からアートシートものを取り出せる位置まで動ける。
【００５３】
図3Cは、写真額縁32にシートものの最小限を収容する例を示す。本図のつづったシート84は、ガラス、アートシートと後ろ盾プレート各一枚を含む。図3Bのつづったシートはガラスと後ろ盾プレート各一枚と、縁に達するまで複数枚のアートあるいはマットボードを含む。つづったシートの最高厚さは一インチ、あるいはそれ以上に作られる。後ろ盾プレートの構造は硬い材料で作られ、如何なる場合でも、保持器プレート44の圧力により凹まれない。このような構造は後ろ盾プレートの全体に保持力を均一に分配することができる。
【００５４】
図1は、説明のため、写真額縁32に保持器30一つしか上げなかった。実際の小型額縁では最低二つの保持器が必要である。この二つの保持器は、額縁の上下、あるいは左右に一つずつ取り付けられる。より大きな額縁は合わせて2ペアーの保持器が必要となる。この2ペアーの保持器は額縁の上下、あるいは左右に取り付けられる。どんなに大きい物でも、四つ以上の保持器を必要することはなかろう。数を増やすことより保持器の大きさと強さに頼る方が経済的に得である。
【００５５】
本発明の物は従来の額縁より多くの利点を有する。殆どの既存する額縁はブラド、ステプル、ターンボタンみたいの受動的な保持器を使うため、小さなアートシートを保持するとき額縁中に動かなくアートシートを保持できない。それと反して、スプリングバネを持つ保持器を使った本発明の額縁では、強い保持力のお陰でアートシートをデスプレーする間にその移動はない。これにより、接着剤で小さいアートシートをマットボードの裏に固定する必要がない。
【００５６】
本額縁の第二重要な利点としては簡易なアートシートを交換することにある。この事は、保持器を開き、アートシートとマットボードを交換し、そして保持器の元の位置に戻すだけで実現できる。元々マットボードはアートシートに接着されなかったため、その選択と再利用は自由に実施できる。マットボード窓サイズの有効性のお影で、額縁窓より小さいアートシートならどんなものでもデスプレーできる。
【００５７】
前のことに負けず本額縁の最後の利点は、未使用のアートシートと係わるマットボードなどの収容することである。全ての未使用のアートシート一体は、現在にデスプレーするアートシート一体の後ろに保持器で保持される。一カ所に収容されたため、これらのアートシートはオナーにホームデコにつながる気分転換のことをよく励ましてくれるだろう。使用しない額縁を屋根裏と地下室に片づけることはなくなるだろう。
【００５８】
本発明の保持器30はエレガントな姿とデザイを持つ。その構造自体は簡易で、当然のように説明なしで開閉できる。反活性化領域と活性化領域の区分はこの写真額縁の理想的な適用性である。カム仕組みは強力なカム運動を提供しながら、保持器の中によく隠される。
【００５９】
スプリングバネを持つ本発明の保持器30の応用は写真額縁とシート物の保持に限られない。どんな三次元の物でも、保持器プレートと接触する角度が図3Aに見られる活性化領域に入れるならその利用は可能である。
【００６０】
一つの物体を保持するために、数個の保持器が使われる。保持器に最高の保持力を得るために保持器にある支持ベースの位置と角度を調整すればよい。結果として、本システムは、多様なサイズと形の物を保持できる。
【００６１】
ここの説明では、スプリングバネを持つ保持器と言うものは、色々な厚さのつづったシートと形の違った物を保持するものである。ここに色々な厚さのつづったシートとは、一かそれ以上の数のシートを積み重なるものを言う。
【００６２】
保持器30 、また後に述べる保持器120、178、202、262、272とも、特別な部類のスプリングバネ式保持器である。これらの保持器の中に、カム仕組みの一であるスプリングバネは、保持器の保持力を作り出す源である。この理由で、本保持器をカム仕組み式保持器と呼んでも良い。
【００６３】
カム仕組み46は一般にカムフォロワーとも呼ぶ。その理由は、第二限界位置44"から第一限界位置44'に回る時、保持器プレート44はリニアーモーションから回転モーションに移ることである。さらに本考案の保持器30のカムフォロワーは、反活性化領域から活性化領域に廻る時の保持器プレート44の回転モーションを誘導するリーダーにもなる。
【００６４】
カムの原理は、工具機械、印刷機械、ミシン、繊維機械などの工業応用によく見られた。本発明には、このカム原理を引用する一つの新しい保持器を発表した。写真額縁に使われると、この保持器は厚さ違ったアートシート積み重ねを保持できる。本来の額縁保持物の保持力より強力である。
【００６５】
図4に示す持ち上げ道具86は、保持器プレートを持ち上げる時に役に立つ。一般の場合では、この保持器プレートを一本の指で引き上げられる。しかし、大きいと強い保持器に対して、この持ち上げ道具86を利用すればその開放はより簡単になる。
【００６６】
図4に示す保持器88は、図1の保持器30の拡大版である。この中の一つの改造点は、保持器プレート持ち上げ道具86と噛み合いを助長するために、二つのピン頭90を大きくするだけである。
【００６７】
この保持器プレート持ち上げ道具86は成形プラスチックから作られた方が望ましい。この持ち上げ道具は、センタープレート94を含み、このセンタープレートの上に保持器88のピン頭90が入れるように穴96が開けられた。センタープレート94を中心に反対方向に伸びるコーリニアー軸棒98と100がある。軸棒98の先は、下に曲げられ、エルボー102を作る。軸棒100の先は水平線に右に曲げられ、エルボー104を作る。
【００６８】
この持ち上げ道具86の使用は次のように簡単でできる。図4に示すように、保持器プレート92の裏にエルボー102を挿入しながらピン頭90の上にセンタープレート94を填める。次にエルボー104を握り、保持器プレートが反活性化領域に入るまで右手に廻る。この場合抵抗力が急に消える瞬間で分かる。次にプレート持ち上げ道具86は保持器88から外せる。必要ならさらに保持器プレート92をアートシート組が額縁体から脱出できるところまでに廻る。
【００６９】
図5は本発明のスプリングバネ式保持器の第二実施形態を示す。本図の保持器120は、図1-4の保持器30と構造上相違ところがあるがその機能は類似する。
【００７０】
保持器120は図1-4の保持器30と同様に固定保持器ベース122と、回転保持プレート124と、一つのプランジャー128と二つの圧縮スプリングバネ130からなるカム仕組み126、二つのピン132を含有する。圧縮スプリングバネ130は図5に図示されていないが、図2に示した圧縮スプリングバネ50のものと類似する。
【００７１】
保持器120と保持器30との主な差異は、固定保持器ベース122と回転保持器プレート124の構造と、カム仕組み126の設置のところにある。第一に、固定保持器ベース122は一つのカールあるいはスリーブ134を有する。このカール134上に一つ鈍角の切欠部136が設けられた。このカール134とこの切欠部136はそれぞれ保持器プレート44のカール64と切欠部64に似ている。ただ一つの違いが存在する。カール62と切欠部64は保持器プレートと共に回転できるが、カール134と切欠部136は固定保持器ベース122の一部となり、回転できない。
【００７２】
図5に示すように、回転保持プレート124は二つのピン132上に填められながら回転しうる外部カール(スリーブ)137のペアーを含む。同保持プレート124はさらに、その末端が直角に曲げられた曲げ140を持つセンターフランジ138を有する。このセンターフランジ138と直角曲げ140はピン132に対して回転できる。センターフランジ138と直角曲げ140に囲まれるカム仕組み126は保持プレート124と共に回転できる。
【００７３】
カム仕組み126が切欠部の丸いへり136に来るまで廻われると、カムアクションが発動される。このカムアクションから生じたトルクは保持プレート124を額縁か額縁中にあるつづったシートに止められるまで廻る。
【００７４】
上の説明から明らかにされた様に、違う構造でありながら、保持器120は保持器30と同様に写真額縁上に取り付けられた時同じカムアクションの効果を得られる。保持器30より保持器120を選択する主な理由はその製造コーストにある。
【００７５】
図6は本発明のアート額縁を利用する額装アートを販売する事業に、写真額縁とマットボードとアートシートの寸法一括化から持ってくる大きな利潤を詳述する。本アプローチは、独自アートシートの固有サイズに合わせてカスタムメードの額縁を製造する選択より、少なくても一つの標準サイズのアート額縁に合う様に全アートシートを標準化させることにある。
【００７６】
図6に示したのは本発明の一つのアート額縁である。このものは一つの額縁本体、一つのガラスと一つの堅い後ろ盾プレートを含有する。幾つかの有効標準サイズの中から一つの内面サイズを有するものである。ここに内面サイズとは、額縁内の長さと幅を言い、額深さか厚さとは関係ない。このアート額縁142に本発明の四つのスプリングバネを搭載する保持器が設置される。額縁の収容限界までに複数のアートシート/マットボードを強固的に保持できる。
【００７７】
同図6に示すのはクラウドモネアート集のアートシート143、144と145である。二枚のマットボード146と147はモネアートシート143、144と145をデスプレーするためにダブルマットを作る。ここにあるアートシート143、144、145とマットボード146、147はアート額縁にピッタリに合える、ほぼ同サイズに作られたものである。各々アートシート143、144、145の絵像部はマットボード146、147の窓に良く見せられる。以上の事は、全アートシートのサイズ調整に関する、アートシートサイズの標準化のお陰で出来る。
【００７８】
アートシートサイズの標準化とは、基本的にオリジナルアートが複製される時、その全表面サイズを換えるか、あるいは一つの標準額縁の内部サイズに合うように作られることを意味する。複製過程にどのようにアート絵画のサイズを換えるかのハードルールは存在しない。額装アートがマットを使わない場合に、その絵画部全体まで印刷される事になる。逆に図6に見られるようにマットボードを使う場合には、必然によるルールではないが絵像部のマットボードに隠される部分を考えて、少し小さいアートシートを作った方が普通である。
【００７９】
アートシートサイズ標準化の魅力ところは、カスタムフレーミングはもはや要らなくなる。新しくサイズの標準化アートシートを購入する人は、そのものを額装するために、好きなスタイルの既製標準アート額縁を一つ買うことで済む。もしこの人は再利用可能の標準アート額縁を既に所持すれば、新しいアートシートを手に入りたい場合、新しい額縁を購入せずに既存する額縁に使えるアートシートを選ぶことで済む。
【００８０】
本発明では、決まる数のアートシートとマットボード、あるいはアートシートだけを強く保持できる額縁はアートシートと一組みの形で通常販売かプソイド（疑似）販売の形で小売り店で販売される。これらのアートシートの全体サイズは額縁の内面サイズに相当する様に標準化されたものである。アートシートの三大作がアート額縁に入れる理由はまずショッパーのアテンションを引くためである。ショッパーにこの品物が価値のある物であると印象を与える。このアート額縁がデスプレーするアートの簡単な交換と、未使用アートとマットの収容の利点を理解し始めると、ショッパーはそれを急に買いたく成り自分の家で使って見たいだろう。数々アートシートの価値と新しいアート額縁の利点から持ってくれた相乗作用のお影でこのアンセンブル商品を消費者の心に照らし、そのセールを促進するに違えない。
【００８１】
アート額縁と写真額縁の間の一つの違いは現在の新しい複数アートシートの額装アート組み一体の概念にある。写真額縁は、小売店で広告資料以外に写真と一緒に販売されていない。買い物のお客は、個人の写真か、ハイスクールの卒業証明書などを自分でこの写真額縁に入れる。写真額縁のデザインと額縁に入れる写真の数とは何も関係しない。これと反して、額装アートは、いつも一枚のアートシートとそのアートシートが入る一つの額縁を含む。小売店では、二枚以上のアートシートを入れた額入りアートを販売する場合はまずそのインセンチブが無い、もしあっても希である。
【００８２】
上述したように、本品物は必ず全体を備えた単位として出荷するものではない。例えば、あるお客は一回目の買い物で気に入ったアート額縁と数枚のサイズ標準化されたマットボートを買うこととする。後に同お客に無料あるいは割引値段で３枚まで同サイズのアートシートの選択と取得権利を約束する。アート額縁と一つのマットボートを買う場合、後に無料あるいは割引値段で１枚の同サイズアートシートの選択と取得権利を約束する。これらの例に、一回目の販売に引き続いた約束のある販売のことを“疑似販売”と呼ぶ。結果として疑似販売の終わりにお客は本発明のアート額縁とこの額縁のサイズに合った、複数のサイズ標準化されたアートシートからなるを手に入る。このことにより、お客に最初から一度に全部品アンセンブルを買ったことと同様にアート額縁のデスプレーとその可変な特徴を楽しめる。
【００８３】
アートシート143、144、145はクラウドモネアート集の十二枚からの一部である。この十二枚のアートシートはすべて同じ標準サイズで作られた。お客は他のアートシートを買い上げる場合、既存するマットボード146、147で額縁142にそれをデスプレーと貯蔵することができる。もちろん同じ標準サイズで作られた他の画家のアートシートでもこのアート額縁142を利用できる。
【００８４】
モネの十二枚のアートシート集から次のように四つのアンセンブル単位に再編成できる：各アンセンブル単位に一つの額縁142、二つのマットボード146、147と三枚のモネアートシートを含む。これらのアンセンブル単位はバラバラに販売される。このものを利用するお客は大抵モネアートシートを二つ以上に同時デスプレーする人である。
【００８５】
図7-8は本発明の新しい写真額縁を示す。この額縁は図1-5に示したスプリングバネ式保持器を利用すれば使い済みのカレンダーブックの展示と収容に適用できる。
【００８６】
図7は二つの使い済みカレンダーブック160、162を他のものと一緒に表示する。殆どの月分けタイプのカレンダーブックは大抵７枚綴り合わせのものが多い、シートの中心部近くにある線164にそってステプルか他の手段で留められる。これらのシートの表面にカレンダー写真と日表が印刷された。カレンダーページ変更の時に、カレンダーシートの半分上に新しい写真を、その半分下に新しい日表を現す。
【００８７】
同図7に２枚のマットボード166、168があった。この二枚のマットボードは同寸法の外縁と異なる展示窓サイズを持つ。マットボード166はカレンダードク162のデスプレーに適するが、より大きな窓を有するマットボード168はカレンダーブック160のデスプレーに使われる。カレンダー写真、とえばカレンダーブック160のものを選出するには、ただ気に入った物が出るまでにカレンダーページをめくるだけで済む。その時カレンダーブック160は中心線164にそって裏に折り曲げて、マットボード168の後ろにその写真が前に見えるように置く。
【００８８】
次に本発明の写真額縁170を、カレンダーブック160のデスプレーとカレンダーブック162の貯蔵に使う。図7に見られる様に、この写真額縁は一つの額本体172と、一枚のガラス174と、一つの堅い後ろ盾プレート176を含む。カレンダーブック160はマットボード168を間に於いて、ガラス174の後ろに来る。後ろ盾プレート176はいつもデスプレーするカレンダーブック160の後ろに入る。写真額縁170に貯蔵されるマットボードは後ろ盾プレート176の隣に収容される。すべての収容されたいカレンダーブックは裏に折り曲げられ、貯蔵されたマットボードの後ろに置く。
【００８９】
図8a、8bはそれぞれ組み立てた写真額縁170の正面図と裏面図である。図8bに目立つ物の一つとして四つのスプリングバネ式保持器178である。各保持器178は図1-4に示した保持器30と類似している。これらの保持器178の中に、二つは額本体172の上辺と、二つは額本体172の底辺に取り付けられた。額縁本体の形によってこれらの保持器ペアは左辺と右辺に分けられる場合もあり得る。
【００９０】
明らかに額縁本体172にカレンダーブックとマットボードを入れられるため、保持器178のすべてのプレートはまず図3Aに示す第一限界位置44'に似ている位置近くまでの反活性化位置に開けなければならない。できれば額縁本体172をテーブルの上に俯せにして置き、それから額縁ガラス174、マットボード168、カレンダーブック160、後盾プレート176、マットボード166とカレンダーブック162の順に額縁に入れる。勿論この時にカレンダーブック160を図8aに示すマットボード168の窓中心一杯に見せるために位置調整が必要である。
【００９１】
額縁本体172に編入するとき、カレンダーブック160を除いて、残る他の部品の底辺は額縁本体172の底辺内壁に触る様に入れなければならない。この事は写真額縁170が壁に縦に掛けられるとき、カレンダーブック160以外の物の重さは額縁本体172の底辺内壁によって支えることを利用する。この理由で、縦にデスプレーする額縁170の中に組み込まれた品物のズレは避けられる。
【００９２】
額縁本体172に全ての部品が組み込まれた後に、開いた状態にあった四つの保持器178を逆に動かす。一旦これらの保持器178のプレートが活性化領域に進入すると、カムのアクションの始動によって各保持器プレートにトルクが掛かり、プレートは自動的に閉鎖位置に廻る。組み込まれたシート物はこれらの保持器プレートが作り出した保持力によって支えられる。同保持力はカレンダーブック160をズレなくマットボード168の後に図8aに示すように長期的に吊り上げる。
【００９３】
特に注目して欲しいことは閉鎖位置にあるとき、保持器178の各プレートの接触表面は額縁に深く侵入しながら額縁内壁から離れる。一般のルールとして額縁内壁からこの接触表面の離れる距離は少なくても0.5インチ(1.27cm)、より望ましく1インチ(2.54cm)とすること。この最小距離は保持器接触点が吊り上げられるカレンダーブック160に近くくることを保証する。引用される保持力をより効果的にカレンダーブック160に伝わり、その壁掛け位置から外す事を防ぐ。
【００９４】
図8bに興味のあることとしてカレンダーブック162が額縁170に比べてかなり小さいであるため、その保持は二つの底部保持器178の利用だけで出来る。しかしカレンダーブック162の貯蔵に額縁170を使う場合だけである。保持器接触点が額縁内壁から少なくても1インチを離れると言う規定は二つの底部保持器178が“ブックエンド”としてカレンダーブック162を落下なしに有効に保持できる設定から来た理由である。
【００９５】
本額縁170の一つの追加部品として第二後ろ盾プレート179である。この第二後ろ盾プレート179は図8bに見られる様に、収容されたカレンダーブック162の後に来る。このものの幅は後ろ盾プレート176の幅と同じであるが、二つの底部保持器178だけで保持されていないために後者より低く作られた。後ろ盾プレート179は硬直であるため収容されるカレンダーブック162を直立に支え、収容中にその後折り曲げを防止する。
【００９６】
額縁170に使い済みカレンダーブック162の枚数が増えることに連れて二つの底部保持器178の保持力はだんだん弱くなる。一般のルールとして、填められるカレンダーと関係するプレートの総枚数は額縁の収容限度の70%に過ぎない様にして置く。しかしカレンダーブックの数が増えるに連れてこの二つの底部保持器178の保持力が弱くなるだが、二つの頂部保持器178はそれと関係なく吊り下げるカレンダーボック160を十分に保持できるはずである。
次に使い済みのカレンダーブックのデスプレーと収容に関する保持器178の役割をより深く説明する。保持器178の主な役割はデスプレー中の吊り下げるカレンダーブックを保持することである。カムアクションから及ぶ保持力は、カレンダーブックと隣りにあるシートものの摩擦につながり、その位置ズレを制止する。
【００９７】
上述したように、デスプレーするカレンダーブック以外のシートものは底辺内壁に座る。この条件の下で、保持器178の第二の役割はデスプレーと額縁のハンドリング中の積み重ねたシートものを押す事である。使い済みのカレンダーブックのデスプレーと収容に使われる本発明の保持器178はこの第一と第二の役割に十分な保持力を持つ。
【００９８】
取り扱いの安全のために、この額縁はできる限りいつも直立に揺れない様に保持するが望む。どうしても平面にこの額縁を置きたい場合、額縁の前面を下にする。万が一この額縁の前面が上にくるとどうなるかを考える人もいるかも知れない。確かに、詰められたシートの数が限度内にある場合では保持力不足の問題はない。しかしこの姿勢で限度を越えた数のシートを詰めるとその保持力が不足になる。この原因で底辺の二つの保持器は緩められ、つづったカレンダーが額中の位置ズレを起こる。デスプレー中のカレンダーブックは正しい位置から脱落することもあり得る。これを直すために額縁を再開し、各要素の位置調整が必要である。
【００９９】
希望があれば、保持器の第三役割は、収まるつづったカレンダー全体の重量が指定限度内、例えば総許容量の４０パーセントまでなら十分な力を発揮できるカムアクションを設計することである。このことは額縁が直立になる場合、限度内にあるつづったカレンダーの重さによる位置ズレと崩れを避けられることを意味する。額縁の逆さまと仰向けを避けることにより物の重を支えることがなくなり、カレンダーブックの数が増えてもその位置ズレのことを起こさない。
【０１００】
上に説明した、使い済みのカレンダーブックをデスプレーと収容する保持器の役割は他のアートシートのデスプレーと収容にも通じる。カレンダーブックより軽量のため、直立にマットの後に吊り下げる一枚のアートシートを保持することはより容易である。額縁に全アートシートの取り込み順は先の図8bに示すものに従える。二つの底部保持器により支えられる小さいアートシートは他のアートシートの後に来る。壁上に吊り下げる額縁内にある小さいアートシートの折り曲げを防ぐために第二後盾プレート179を使う。
【０１０１】
図8bに示すように、額縁170に後カバーに使われる一つの後板180を任意的に提供される。後で取り出せる事を考えて、額縁にこの後板180を取り付けるために、額縁外囲182にあるターンボタン184を使う。図8bに見られるように取り付けた後板180は保持プレートの不測な動きを制限する。さらに、過度なハンドリングによる全アートシートの額縁内ズレを制止する。額縁を壁に掛けるために二つの掛け道具186が用意された。
【０１０２】
図9-12は本発明のスプリングバネ式保持器の第三実施形態に関するものを示す。この保持器型はシートものを保持するために異なるタイプの保持板、例えばファンボード、掲示板、ポスターボードに使用できる。この物の安全と使いやすさを若いの利用者に対しても利用できるように特別な設計を取った。
【０１０３】
図9に示すファンボード200は汎用の類似するものより幾つかの利点がある。このものはボード201とその上にあるボード202、さらに保持器202を被うカバー 204を含む。図に保持器202の詳細部を見せるためにこのカバー204の一部は切り抜けられた。
【０１０４】
ボード201は大抵成形プラスチックから作られた。保持器202は多くの点で図1に示した保持器30に似ている。この保持器は、ボード201にリベット208あるいは他の手段で止められる一つの固定保持ベース206を含む。図2の固定保持ベース42に似て、この固定保持器ベース206は末端にカール212を持つ二つの側部フランジと直角曲げ216を持つ一つのセンターフランジを含有する。この保持器202の第二部品としてカール220を有する回転保持プレート218である。固定保持ベース206の上にカール212と220を通する二つのピン222で回転自在に保持プレート218が取り付けられた。
【０１０５】
保持器202と保持器30の間の主な違いは保持プレート218の幅にあり、その幅は保持器202のサイズから見るとかなり大きいである。この大な幅はボード201上に保持されるアートシート248と保持プレート218との広い接触を作るために設計された。
【０１０６】
アートシート248を掴みやすいために保持プレート218の先端は下に曲げられて、ゴム材料254で被われる。このゴム材料254は閉じるときに保持プレート218の衝撃音を減少することにも役立つ。
【０１０７】
保持器202の他の部品としてプランジャー226と数個の圧縮スプリングバネ228を含めるカム仕組み224である。幅の広い保持プレート218のために幅の広いプランジャー226を使う。プランジャー226の上に合わせて四つのプランジャーホェール230が提供される。これらのプランジャーホェールは、固定保持器ベース206にある側部フランジ210とセンターフランジ214の間に四つの圧縮スプリングバネ228を保持する。直角曲げ216上にある二つの突起234とプランジャー226上にある二つの溝232はプランジャー226の往復運動を案内するためである。
【０１０８】
保持プレート218の手動回転を助長するために、保持プレート218にリベット256か他の手段で留める一つのテコプレート236が提供される。このテコプレート236は保持プレート218に直角に配置する。テコプレート236の前部の形は鮫ひれに似ているので鮫ひれ238と呼ばれる。テコプレート236の尾部の形は鮫の尻尾に似ているので同様に鮫尾240と呼ばれる。保持プレート218の回転を楽しめるために、鮫ひれ238は“危険だ”と強調するためにと赤色に、鮫尾240は“安全だ”と強調するために緑色に作られた。この理由でファンボードと言う名前が出来た。
【０１０９】
カバー204は大に長方形の成形プラスチックからできた。カバー204の後部と一体に成るフランジ242でリベット244かあるいは他の手段を使って、ボード201にカバー204を固定する。カバー204の前部はアートシートの出入りを考え、｀0.25''(0.64 cm)ぐらいの隙間246を残す。図に見えるのはアートシート248がこの隙間246に入るものである。この隙間の幅は使用者が不注意で保持プレート218に指を挟まれることを防止するために設定された。この安全施置は特に子供の使用者に対して重要である。
【０１１０】
図9に示す様に保持器202の殆どの部分はカバー204により覆われる。このカバー204の頂部と後壁に一つのスロット開け250が残された。このスロット開け250の存在は鮫尾240に手を届くために必要である。鮫ひれ238に届く事は保持プレート218が開いた状態でできる。
【０１１１】
図10は保持器202の詳細な操作を説明するものである。図10aは保持プレート218が反活性化領域にある時を示す。図10cはプレート218が活性化領域にある時を示す。図10bはこのプレートが活性化領域と反活性化領域の間にある、危機的な位置に入る時を示す。
【０１１２】
プレート218が図10aに示す位置にあると、鮫ひれ238はスロット開け250の外に現れる。この時アートシート248はカバー204の下にある隙間246に不安全な状態で入るから“危険だ”と暗示してくれた。この“危険”を対決するために鮫ひれ238をスロット開け250に沈ませることで済む。図10bの位置に過ぎるように鮫ひれ238を押すと、鮫ひれ238はカバーの下に沈んで行く。この操作は楽しい気持ちでできる。これと同時に緑色の鮫尾240はスロット開け250から現す。アートシート248は図10cの位置にある保持プレートで安全の状態に入るから“安全だ”と暗示してくれた。
【０１１３】
アートシートデスプレーを置き換えたいとき、図10cの位置にある鮫尾240の開始位置から図10aに示すボード201まで押す。保持プレート218はこの位置に無限に留まる。これによってアートシートの交換、再編成、整理等に必要な時間を作ってくれる。その後、もし全ての事が満足すれば鮫ひれ238を下に押し、新しいアートシート積み重ねを強く保持する。
【０１１４】
この保持器202の操作は汎用のクリプボードと比べ簡易である。デスプレー交換の時、スプリングバネの跳ね返しを抑えるようにクリプを開け続く必要はない。汎用のクリプボードのデスプレー交換はその回数によってクリプの開閉も同回数で繰り返し、壁に掛けるときにその実施は困難である。
【０１１５】
興味のある事の一つとして、本保持器202によってファンボード200の操作は本来のクリプボードのそれと変わらない。この操作に鮫尾240を図10bの位置まで軽く押すでけでできる。そして鮫尾240を一方の手でこの位置に保持し、残りの手でデスプレーを換える。交換が終われば鮫尾240を保持する手は離れる。したがって鮫尾240は図10cの位置に自動的に飛び上がり保持器202をその保持姿勢に返す。ただこの操作は空っぽのファンボードに一枚のシートしか入らない時だけに適用する。
【０１１６】
テコプレート236の使用は保持器202の操作を助長する以外に面白いである。保持器202を開けるには保持プレート218を引く代わりに単に鮫尾240を下に押すだけで済む。鮫尾240の長い腕はこのテコ操作に役立つ。
【０１１７】
注目すべきなこととしてこのファンボード200は写真やシート絵画をデスプレーする壁掛けのボードにも利用できる。ファンボードの壁掛けに三つの掛け穴252が提供された。図11と12は壁掛けボードに写真デスプレーの幾つかの様式を示し、同方法でファンボード200にも通用する。
【０１１８】
図10に示す保持器202の操作と図3に示す保持器30の操作を比較すると次のように面白い相違がある。図3に保持器30で保持されるアートシートはいつも固定保持器ベース42の下にある。この場合、大抵長い回転保持器プレート44が必要となる。図3cの位置に於ける保持器30による最高また最高近いのトルクを得るため額縁内壁の深さを保持プレートの長さに許容出来るように設計すればよい。
【０１１９】
図10に保持器202による保持されるアートシートはいつも固定保持ベース206の上かその近くにある。一般の場合、回転保持プレート218の長さは短いである。物理的に制限があるため保持器から最高また最高近いのトルクを得ることは難しい。
【０１２０】
最高また最高近いのトルクを出すために図10に示す保持器202の設計は基本型保持器30から一つの主な変化を受けた。直立固定保持器ベースを有する保持器を使わずに、側部フランジ210とセンターフランジ214と直角曲げ216を含む固定保持器ベース206の一部は時計回り方向に約20度を傾く。プランジャー226と圧縮スプリングバネ228を含めるカム仕組み224は固定保持ベース206により保持及び案内されるため、プランジャー226も時計回り方向に約20度に傾きながら往復運動を維持する。
【０１２１】
図10cに示す本発明のファンボードの保持器202から作られたトルクは、額縁32の保持器30から、その保持プレート44が図3cの位置にあるときのトルクとほぼ同じである。このファンボード200の設計は0.25インチ(0.64 cm)以下のアートシートに適用するため、その操作は保持器202に固有する最高また最高近いのトルクで行う。
【０１２２】
図11は本発明の掲示板260を示す。ここにある掲示板とは、壁掛けボードの一種であり、複数の綴り合わせのシートを、本発明のカム仕組み型保持器で保持され、同時に、または個別にデスプレーをするものである。この様な掲示板は壁から外れなくてもその上のつづったシートの交換ができる。
【０１２３】
図11のボード264の上に二つの保持器262が隣りに配置された。これらの保持器262は図9-10に示した保持器202に似ている。各保持器262は独立につづったシートを保持およびデスプレーすることに使われる。もっとも望んでいる掲示板の一種として、そのボード264が二つの慣用フォマットのレッターサイズ(8.5"x11", 21.6cm x 27.9 cm)かA4サイズ(21cm x 29.7cm, 8.27"x11.69") のつづったシートを保持できるぐらいの大きさを持つ物である。勿論、シート積み重ねの数変化により保持器個数の変化とその位置の変化を測るボードの案出は簡単である。
【０１２４】
ボード264を壁に掛けるために三の掛け穴266が提供された。シート積み重ねのデスプレーを変更したい場合、一方の手でそのシートを、もし最初からシートがない場合、そのボードを握ぎ、他の手で保持器プレートを開ける。開けた各保持器262はその状態のままに残る。このことにより、現存するシートの取り出し、新しいシートの選択、挿入また再整列をすることは自由にできる。以上の操作が終われば、シートのデスプレーと閉鎖する状態に保持器262を戻す。
【０１２５】
図11に示すように、本発明の掲示板260はシートの絵画および写真の保持にも使用できる。一例としてモナリザプリント269がビニルあるいは他の透明な材料からできた柔らかい袋268に入ったものを保持器262に掛けられた。埃たまりを避けるために袋開け口は内に向いた方が良い。数枚の小型写真を展示するために同数の袋を有するシートを使って保持できる。
【０１２６】
要には、本発明の掲示板は本来の掲示板より次の様な多くの特典を有する。第一に、壁から掲示板を降ろすか降ろさずにもかかわらずシートのデスプレーおよび交換ができること。シートのデスプレー中にピンと接着剤は要らない、その上、ピンと接着剤より強くシートの保持ができること。複数枚の綴り合わせで保持され、また印刷されたインフォメーションを観察するためにシートのめくりを許せること。展示されるものはより整理整頓であること。写真類は透明な袋を使ってデスプレーできること。最後に本掲示板は見た目でよくその使用は楽しくであること。
【０１２７】
図12は本発明のポスターボード270を示す。ここにポスターボードとは、壁掛けのものであり、カム仕組み型保持器で大きいポスターの様なシート積み重ねのデスプレーと取り付けを提供するボードを言う。シート物を取り付けると取り外すときにポスターボードを壁から降ろさなくても実現できる。
【０１２８】
図12にある二つの保持器272はボード274上に隣同士に取り付けられた。これらの保持器272は図9-10の保持器202に似ている。取り付けるときの注意はこれらの保持器が互いに同じ高さか水平に保つこと、特に長方形ポスターシートを取り付けるときに大事である。勿論建築あるいは工学図表の保持とデスプレーするために、これより大きく二つ以上の保持器を持つポスターボードの制作も可能である。
【０１２９】
ポスターボード270を壁に掛けるためには、ボード274に三つの掛け穴276が提供された。デスプレーのポスターシートを交換するには、それを一方の手で押さえ、残りの手で保持器272一つ一つを開く。全部の保持器272が開ればポスターシートを取り出す。その後、保持器272に新しいポスターシートを入れ、ポスターボード270の中心に配置することに十分な時間でできる。一旦満足な整列が取れれば保持器272を順次に閉じ、ポスターシートの保持とデスプレーをする。
【０１３０】
上に述べた操作は大きいシートを取り付けと出すために提供された本発明の二つ以上の保持器の一重要な要素を明らかにした。各保持器は開いた後に継続に開く、また閉じた後に継続に閉じる事ができるため、二つ以上の保持器は大きいポスターシートの保持と交換に順次に行える。これらのものと比べて本来の保持器では二つ以上のクリプを利用する場合、一人での順次操作はなかなか無理である。
【０１３１】
図12はさらにデスプレー中の大きいポスター写真を保護する簡易及び優雅な方法を示す。ポスターボード270の上に一つのモナリザポスター278とビニルか他の適当な透明な材料からできた、透明および柔らかいシート280は共に二つの保持器272で取り付けられる。この透明なシート280はモナリザポスター278より少し大きい、展示中のモナリザポスター278の保護シールドに使われる。ボード274の表面は平滑に加工され、ビニールシート280のモナリザポスター278より余る部分を引きつけるために働く。このことによって、シート280はポスター278の有効なシールになる。
【０１３２】
この掲示ポスターボード270の一つの固有な特色としてはその上に取り付けられれるポスターシートのサイズ制限はないことである。取り付けられれるポスターシートの幅あるいは高さは必要があればボード274のそれより越えても良い。逆に、二枚の小さいシートは各々に分けて二つの保持器272に取り付けられる。このやり方で掲示ポスターボード270を図11に示す掲示板260のように変えた。
【０１３３】
図13は他のスプリングバネ付き保持器を示し、標準化内部サイズを有する額縁に複数の同じサイズを有するアートシートを保持する事に使われる。
【０１３４】
図13に見えたのは額縁本体302、額ガラス304と堅い後盾プレート306を含む後部ローデイング額縁300である。額縁本体302の標準化内面サイズは、前出図6のモネアートシート143、144、145とマットボード146、147の全面サイズのそれと方々同一であり、ここに図13で再現される。
【０１３５】
額縁本体302の後に配置したのは額外囲308である。この額外囲308の上に数個のターンボタン310がある。その他にアート額縁300を壁に縦か横に掛けるために掛け道具312である。
【０１３６】
同図13に示したのは、アート額縁300の一員として後ろ板318と、この後ろ板318にリベット322あるいは他の手段で締められたスプリングバネ搭載保持器320である。スプリングバネ搭載保持器320はワンピースのものであり、できれば可塑性樹脂、例えばポリカボネートから射出成形で作られたものが望む。基本的にこのものは一つのベースプレート324と、図に示す様にベースプレート324の平面から突き出す四つの圧縮板バネ326を含む。
【０１３７】
一旦額縁本体302に額ガラス304とマットボード146、147とアートシート143、144、145と後盾プレート306の順に入れれば、この額縁本体302の後ろに後ろ板318を重ね、ターンボタン310で額縁本体を閉じる。
【０１３８】
四つのターンボタン310で閉じられた位置にある後ろ板318の四つの圧縮板バネ326先端は後盾プレート306に押しつける。この圧縮板バネ326が及ばすバネ力で全アートシートと関連するシートは固まった綴り合わせに寄せられ、額縁300にアートシート145を正しくデスプレーできる。
【０１３９】
額縁本体302の深さと圧縮板バネ326の曲げ具合の設計によって、総厚さが0.5インチ(1.27cm)以下なら何枚のアートシートでも収容できるアート額縁の製作は可能である。従ってこの発明ではスプリングバネ搭載保持器320の様なものを利用するアート額縁を提案する。その中にアートシートが多枚数で入れられ、アートシート全体のサイズは額縁の内面サイズに合う様に標準化されると共に、アートシートと額縁はワンパックで小売り店に通じて販売されるか、またの形で通常販売か疑似販売の形で販売される。
【０１４０】
この新しい一アンセンブル販売の概念は図6に関連する先の解説で提案した時と同様に、図13のアート額縁300にも通用できる。サイズ標準化された数枚のアートシートと、図1-4に示した保持器30あるいは図13に示した保持器に320に似ているスプリングバネ搭載保持道具を有するアート保持器と一緒に取り込まれると、一の相助作用を作り出し、ユーザーに入手した品物を直ちに使いこなしてデスプレーの交換の魅力を感じさせる。
【０１４１】
スプリングバネ式保持器30と違ってスプリングバネ式保持器320はプラスチック製であり、使用中にアートシートを保持する程のスプリング力はなく、また額縁内面サイズより小さい。しかしこの不足点はこの一アンセンブルの応用に影響はない。なぜならばデスプレー中の全てのアートシートはその全体サイズが標準化された上、額縁内に吊り上げしないで入れたためである。
【０１４２】
スプリングバネ式保持器320そのものは新しい発明ではない。一例として米国特許6,292,038号に発表されたものがある。その考案(図31)の中に緩んだカレンダーシートの積み重ねを保持するには八個の圧縮スプリング板バネを利用し、本保持器の様にカレンダーシートの重量を支えない。これらのカレンダーシートはアートシートとして、特別の段取りデザインと細長い穴を使い、カレンダーシート毎を支え、デスプレーに使われる額縁の内面サイズに合う様に標準化されていない。
【０１４３】
この区分では、新式のスプリングバネ搭載保持器を有する額縁を述べ、図7-8の額縁170の代わりに使い済みのカレンダー綴り合わせのデスプレーとカレンダーブックの収容に使われる。
図14に示したのは額本体を持つ額縁342である。額縁本体342に入れられたのは、前出図7のものと同様に、額ガラス174、マットボード168、使い済みカレンダーブック160、堅い後ろ盾プレート176、マットボード166と使い済みカレンダーブック162の順である。
【０１４４】
額縁本体342の内面サイズは額縁本体172の内面サイズとマットボード166、168のサイズと同様である。額縁本体342の後ろに外囲344が取り付けられた。複数のターンボタン346は外囲344上にある。これらのターンボタンはプラスチックの射出成形でできた。各ターンボタン346は後に説明するように、押される時に曲がらないようにその縁に隆起部が成形された。縦か横に額縁340を壁に掛ける時に二つの掛ける道具348が提供された。
【０１４５】
図14に示すように、額縁340はその他に高固度の後ろ板350とこの後ろ板の上に四つのリベット354で取り付けられたスプリングバネ搭載保持器352あるいはその類似ものを含む。強いスプリング力を得るにはスプリングスチルシートから作った方が良い。
【０１４６】
このスプリングバネ搭載保持器352は主に一つのスプリングベース356 とスプリングベース平面から突出する四つの圧縮板バネ358を含む。この保持器352の構造は図13のスプリングバネ搭載保持器320のそれと大抵似ている。主な違いとして保持器352では額縁340にデスプレー中のカレンダーブック160を強く保持できる十分な力を得るためにスプリングスチール材料を使った。
【０１４７】
額装するには、先ず額縁本体342をテーブルの上で下向きに置く。次に図14に示すカレンダーブック160、162と関連するシートを額縁本体342に前面が下向きに入れる。この時、カレンダーブック162と他のシートの底は額縁の内側底壁に触るようにして置く。額縁340が壁に掛けるときこれらのシートものは額縁の底壁で支えられると言う利点を利用する。カレンダー画をデスプレーするためにカレンダーブック160は後ろに折り曲げられ、額縁の中心に配置されたマットボード168の後ろに来る。
【０１４８】
最後に額縁本体342の後面に後ろ板350で閉じる。閉じる状態の後ろ板350はその上にある四つの板バネ358が後ろに押されたため強い跳ね返しの力を及ぼし収容中のカレンダーブック162とその前にある他のシートを押し着く。同じ力で折り曲げたカレンダーブック160を吊り下げる位置に維持し、マットボード168 の後ろにデスプレーする。
【０１４９】
後ろ板350が完全に額本体に閉じると、各ターンボタン346は回転され後ろ板350をしっかりに保持する。この場合、後ろ板350は板バネ358の変形により作り出された力を受け継ぐ。同力は全てのターンボタン346まで伝わる。ターンボタン346上に縁隆起部を持つためこの力で曲げる事はない。
【０１５０】
次に板バネ式保持器320、352を含める、一般の板バネ式保持器について簡単な説明をする。額縁にあるアートシートの積み重ねを保持する力は板バネが押し戻されるか、歪むか、またはそれらのアートシートに接触することにより移動されることから生じる。この保持力の強さはバネの変位に直接に比例する。と言うことはアートシート積み重ねが額縁に多い程その力は大きい、少ない程その力は小さい。この事実は図1-4に示したスプリングバネ搭載保持器と正反対であり、そこにアートシート積み重ねの枚数が少ない程その保持力は大きい、多い程その力は小さい。
【０１５１】
少ない枚数のアートシート積み重ねから始まった額縁は板バネ式保持器の応用は多分力不足で適しない。アートシートかカレンダーブックを吊り下げをしない限り普通ではこの板バネ式保持器を利用して軽量のアートシート積み重ねを保持するぐらいなら大きい問題はない。
【０１５２】
アートシート積み重ねの量と関係なくどうしてもスプリングバネ保持器含有額縁を使い、最高か最高近いの保持力を得たい時には次の方法で解決できる。アートシート積み重ねの後ろに厚さの違うスペーサシートを利用し、板バネにいつも最高の変位を維持させることである。一応この方法では可能であるが厚さの違うスペーサシートを用意するのは少し不便である。
【０１５３】
図1-4の保持器30と比べ、このスプリングバネ保持器を使っていくと次の望まない結果になる。板バネに及ばされる跳ね返し力は保持器内に取り込まれるではなく周りにもこぼれることである。後ろ板とターンボタンは絶えずに圧力にかけられる。長い間に後ろ板に出っ張り、あるいは、ターンボタンと締める部品の損害につながる危険がある。このことは特に常に最高の保持力下で維持される額縁に見られる。
【０１５４】
殆どの油絵は張り器付きカンバス上に描かれる。販売される張り器はそのサイズが標準化され、3/4インチ(1.9cm)の厚さを有する。このような張り器で張ったカンバスアートは、図1-5に示したおよび述べた本発明の額縁にサイズの標準化されたアートシートを填めることと同様に填められる。明らかに額縁に張り器と後ろ板の厚さを対応できる様に十分な深さがいる。大抵の場合、前面のガラスは要らない。
【０１５５】
殆どの張り器付きカンバスアートは端から端までに塗られることが多いため、マットの代わり一つのライナー縁を使い、カンバスアートを外の額縁と隔てるするように入れた方が望ましい。
【０１５６】
図20に示す額縁500は図1の額縁32に似ている。四つのスプリングバネ含有保持器、あるいはより正確では、四つのカム仕組み式保持器502は額縁500の両長辺に取りつけられた。額縁500の後ろに一つの額外囲504が見られる。組み立てた額縁500の後ろ板508を止めるために幾つかのターンボタン506が提供される。二つまでの掛ける道具510は使われる。これらの項目はすでに図8bに述べられた。
【０１５７】
図20に暗い影に写った、張り器514に支えられた一つのカンバスアート512が見られる。カンバスアート512と額縁500の間にライナー縁516である。油絵を額縁500から視覚的に隔てるためにライナー縁516の前面は大抵薄い色の布で覆われる。
【０１５８】
ライナー縁516は張り器付きアート512の外寸法とマッチする内寸法を、また額縁500の内寸法とマッチする外寸法を有する。ここに“マッチする”とは必ず厳密的な同値の意味をしない。通常のもののマッチ性は互いに取り込めるために少しの余裕がいるはずである。額縁500の内寸法はライナー縁516の外寸法より1/16インチ(1.6 mm)ぐらい大きいでよい。しかし張り器付きアート512に対して、ライナー縁516の内寸法は少なくても張り器514より1/8インチ(3.2 mm)大きい。
【０１５９】
本発明の額縁500にカンバスアート512の額装はとても簡単である。始めに額縁500を開けるために、図3Aの44'に示す開ける位置まで保持器502の全ての保持器プレートを廻す。それから額縁500にライナー縁516を入れる。次にカンバスアート512をライナー縁516の後ろに入れる。カンバスアート512の次に後ろ盾プレート518が来る。四つの保持器502を閉じる位置に廻すことにより後ろ盾プレート518とカンバスアート512は強く保持される。最後に後ろカバーあるいは後ろ板508を入れ、ターンボタン506で留める。これで額装の過程が完了する。
【０１６０】
カンバス-張り器512-514の総厚さはライナー縁516のさねはぎの深さより大きいでなければならない。このことはアート512が取り付けた後に後ろ盾プレート518に強く押さえられるように考えたためである。明らかに、額縁500のさねはぎの深さはライナー縁516とカンバスアート512と後ろ盾プレート518を収容できるように作られるはずである。
【０１６１】
現在の額装カンバスアートシステムのカンバス-張り器512-514は標準サイズで作られた。カンバス-張り器512-514とマッチするためにはライナー縁516のサイズも標準化された。しかし額縁500の内寸法はライナー縁516の外寸法の変化により変わる。この理由で、額縁500はマッチングするライナー縁516と一緒に出荷された方が望ましい、その都度ライナー縁516の標準サイズだけを指定すれば良い。
【０１６２】
市販される張り器は、例えば張りき514のようなもの、木製であるため、嵩張る。本額縁500およびライナー縁516に複数個の市販張り器の収容は難しい。新しく入手した第二の張り器付きカンバスアートを同額縁500に填めたい時、現存するアートを取り除かなければ場所がない。
【０１６３】
図21は本実用案に適する、汎用張り器514の代替品として新型のワンピース成形張り器530を示す。この張り器530はワンピースの成形プラスチックからできたため硬直かつ頑丈である。この成形張り器530の中心部は格子532の構造を持つため、張り器530に硬直性と強度に大いに貢献する。このような特徴のお陰でこの張り器530の厚さは木製張り器の厚さ(3/4インチ、19 mm)の三分の一か半分に縮小できる。
【０１６４】
この様な張り器530は前もってカンバスシート534で張られた方が望ましい。張り器530の製造技術とカンバスシート534の熟練な張り工法により微小な許容度まで高精度で幅広い寸法のカンバス-張り器を製造することが可能である。
【０１６５】
図20に示した汎用型カンバス-張り器512-514の代わりに図21に示す新型張り器530と張ったカンバスシート534を四つまで使用できる。図20の額縁500にある複数の保持器はカンバス-張り器534-530を一から四まで保持できる。
【０１６６】
図21に他の物と一緒に一つのライナー縁536が示される。このライナー縁536は図20に示したライナー縁516に似ていて、額縁500に填められる。一つの主な違いはライナー縁536のさねはぎはライナー縁516のそのものよりずっと浅い。図21に底にあるカンバス-張り器534-530はライナー縁536のさねはぎに沈む。図に見られるようにカンバスシート534の上面はまだライナー縁536の上面より上に浮かび、またもし額縁500にこのカンバス張り器534-530が一つだけ填められる場合、後ろ盾プレート518に直接に接触する。
【０１６７】
額縁500に一か複数の未使用カンバス張り器534-530を収容したい場合にはライナー縁536に入った底にあるカンバス張り器534-530の上に積み重ねれば良い。通常の使用では、四個の保持器502の強力な力で後ろ盾プレート518に通じてこれらのカンバス張り器534-530をズレなく保持できる。
【０１６８】
本張り器530にある格子532の厚さは張り器530の縁部分のそれに相当する。しかし縁部分の厚さより薄い格子532の製作も可能である。このことにより格子の上にあるアートシート534との接触を防げる。
【０１６９】
本額縁の配置では、各々の収容されたカンバスアート534は隣り下にあるカンバスアート534により閉じられる。デリケットなカンバスアートの場合、少しアートシート表面に空気循環をさせることが必要である。この要求に対して図22に示す数個の新型のスペーサバー538を利用すれば解決できる。
【０１７０】
図22はスペーサバー538とライナー縁536と四つのカンバス張り器534-530の断面図を示す。ライナー縁536の両側に二つの受け穴540がある。各々のスペーサバー538の頂部にも二つの受け穴542がある。各々のスペーサバー538の底辺に受け穴540、542とかみ合える、二つの止め釘544がある。
【０１７１】
各々のスペーサバーの長さはライナー縁536の両側にある二つの受け穴540間の間隔より少し長い。スペーサバー538の右側にその全長に延びるステップ546があり、カンバス-張り器534-530を支えるために役立つ。
【０１７２】
ライナー縁536の両側にあるスペーサバー538の数は額縁500に積み重ねる張り器-カンバス534-530の数により決まる。額縁500に一つ張り器-カンバス534-530しか入らない場合にこのスペーサバー538を使う必要はない。四個の張り器-カンバス534-530が填められる場合にライナー縁536の両側にあるスペーサバー538の数は最高三個である。
【０１７３】
図22に示すように、隣り同士の二つの張り器-カンバス534-530の離れる間隔は止め釘544の厚さに等しい。この間隔は収容されるカンバスアート534とその下に来る張り器 530との摩擦を防ぐことに役立つ。各スペーサバー538の長さはライナー縁536短辺の長さより短いため、隣同士の二つのライナー縁536上にある二つのペーサバー間に隙間が存在する。このため空気は一つの隙間から入りカンバスアート534の前面に通し、他の隙間から出る。
【０１７４】
本発明の額縁は深いさねはぎを持つためドライフラワー、貝殻、コイン、ニードルワークなどの三次元アートのデスプレーに適する。図23はこの目的のために通常シャドーボックスと呼ばれる、新型の額縁仕組みを示す。
【０１７５】
図23の第一項目は額縁550である。この額縁550は図20に示した額縁500とごく一部の相違点以外に大抵に似ている。額縁500は四つの縁からできたが、各縁は図1に示した額ステップ40に似るステップを持つ。このステップは縁の全長に走る。
【０１７６】
現代の額縁製造では二つの縁をつなぐにはくさびを使う。最高のつなぎ力を得るためにくさびはクラウンに、あるいは縁の一番高い所に来なければならない。この縁ステップの存在ため、額縁模様デザイン、あるいはより正確では、このクラウンの位置に制限がある。
【０１７７】
額縁550の場合、四つの保持器554が取り付けられる二つの長辺縁の上だけに二つの縁ステップ552が提供される。長辺縁の上にあってもこの縁ステップ552は長辺縁の全長に伸びない。各縁ステップは二つの保持器554が取り付けられるぐらいの場所をつくり、かつ縁の中部にしか設けられない。結果として額縁模様あるいはクラウンの位置のデザインは縁ステップ552の影響を受けない。
【０１７８】
本発明の額縁仕組み部品は額縁550の他に、ガラス556、マットボード558、スペーサ560、マウントボード562、後ろ盾板564と後ろ板566を含む。マウントボード562は三次元アートが取り付けるためのボードのことである。典型的に使いやすいのものは市販のフォームボードがある。ベルベットで被われるものはより素敵である。
【０１７９】
スペーサ560は単に四本の細い木片からできた。スペーサ560は三次元アートのデスプレーを測って十分な深さで作られた。代わりに、複数個の同類スペーサ560を額縁パッケージの一部として提供できる。購買者は自分の用途によって購入するスペーサ560の数を決める。
【０１８０】
本額縁に部品の組立は簡単である。額縁550とその保持器544が全開してからその中にガラス556、マットボード558、一か数個のスペーサ560、３Ｄアートが取り付けられたマウントボード562と後ろ盾プレート564の順に入る。次に四つの保持器を廻し、これによってカムアクションが起動され、各部品を強く保持する。最後に、後ろ板566を填め、ターンボタンで止めることにより額の組立が終わる。
【０１８１】
本発明の額縁に使われる新型の保持器はシャドーボックスの深さの調整をしやすいように許す。額縁仕組み部品の分解と再利用はできる。三次元アートのデスプレーとマウントボードの交換は簡単である。同額縁はシートアートと張り器付き油画などのプレーにも利用できる。
【図面の簡単な説明】
【０１８２】
【図１】欠切部を含む額縁に入る時の本発明保持器の第一実施形態の透視斜視図である。
【図２】図1の保持器と同様な物の組み立て完成と分解した状態の透視斜視図を細かく示す。
【図３】図1の保持器が、線３−３を含む水平な平面に違った４カ所に移動する時の断面図である。
【図４】図1の保持器上に取り付けられる、クロズ状態にあった保持器プレートを繰り出すための持ち上げ道具の透視斜視図を示す。
【図５】は、本発明保持器の第二実施形態の透視斜視図である。
【図６】は、再使用可能なスプリングバネ搭載保持器を含むアート額縁と、３枚のアートシートと、マットボードを揃って一アンセンブルになるものを示す。
【図７】ばらばらにある状態の、写真額縁に取り組むための二枚のカレンダーブックと二枚のマットの正面と側面を示す。
【図８】図7の二枚のカレンダーブックを取り込む写真額縁の前面と裏面を示す。
【図９】(1) 本発明の保持器の第三実施形態、(2)内部を見せるため一部が欠切されたカバー、(3)保持器とカバーを載せるボード、(4)保持器で止められるアートシートの透視斜視図である。
【図１０】図9の保持器が、線10−10を含む垂直平面に違った三か所に移動する時の断面図である。
【図１１】図9の二つの保持器で二枚のアートシートを保持とデスプレーする本発明の掲示板の上面図である。
【図１２】図9の二つの保持器で一枚のポスターシートを保持とデスプレーする本発明のポスターボードの上面図を示す。
【図１３】サイズが標準化された複数枚のアートシートを板バネ保持器で保持するアート額縁の透視斜視図である。
【図１４】使い終わったカレンダーブックの保持と収納のための、板バネ保持器を有する写真額縁の透視斜視図である。
【図２０】張り器を使ったカンバスアートのデスプレーするための額縁組立部品の分解図である。
【図２１】新しい張り器を使った、四つのカンバスアートを図20の写真額縁500に入るところの透視斜視図である。
【図２２】は、図21の線22-22を含む垂直平面にあるライナー額縁536とカンバスアート張り器534-530の断面図である。同図22に示されるものは、三つのスペーサバー538を経て、ライナー額縁536の上にある、図21の他の三つのカンバスアート張り器534-530である。
【図２３】三次元アートをデスプレーするため、シャドーボックスに編成できる額縁部品の分解状態の透視斜視図である。
【符号の説明】
【０１８３】
30  保持器                  32  写真額縁
34  木工ねじ                36  額縁本体
38  額縁さねはぎ            40  額縁ステップ
42  固定保持器ベース        44  回転可能保持器プレート
44'  保持器プレート44の第一限界位置
44''  保持器プレート44の第二限界位置
46  カム仕組み                48  プランジャー
50  圧縮スプリングバネ      52  ピン
54  側面フランジ            56  カールあるいはスリーブ
58  センターフランジ        60  直角曲げ
62  カールあるいはスリーブ    64  欠切部
66  接触表面                67  プランジャーホェル
68  ランプ表面              70  段落
72  溝                      74  凹部
76  突起                    78  ピン頭
80  ピン幹                  82  綴り合わせたシート
84  綴り合わせたシート      86  保持器プレート持ち上げ道具
88  保持器                  90  ピン頭
92  保持器プレート          94  センタープレート
96  穴                      98  軸棒
100  軸棒                  102  エルボー
104  エルボー
120  保持器                122  固定保持器ベース
124  回転可能保持器プレート  126  カム仕組み
128  プランジャー          130  圧縮スプリングバネ
132  ピン                  134  カールあるいはスリーブ
136  切り抜いた部          137  外部カールあるいはスリーブ
138  センターフランジ      140  直角曲げ
142  アート額縁            143  モネのアートシート
144  モネのアートシート    145  モネのアートシート
146  マットボード          147  マットボード
160  使い終わったカレンダーブック
162  使い終わったカレンダーブック
164  センタライン          166  マットボード
168  マットボード          170  写真額縁
172  額縁本体              174  額縁ガラス
176  後ろ盾プレート        178  保持器
179  第二後ろ盾プレート    180  後ろ板
182  額縁外囲              184  ターンボタン
186  掛ける道具
200  ファンボード          201  ボード
202  保持器                204  カバー
206  固定保持器ベース      208  リベット
210  側部フランジ          212カール
214  センターフランジ      216  直角曲げ
218  回転可能保持器プレート  220  カール
222  ピン                  224  カム仕組み
226  プランジャー          228  圧縮スプリングバネ
230  プランジャーホェール  232  溝
234  突起                  236  テコプレート
238  鮫ひれ                240  鮫尾
242  フランジ              244  リベット
246  隙間                  248  アートシート
250  スロット開け          252  掛ける穴
254  ロバー材料            256  リベット
260  掲示板                262  保持器
264  ボード                266  掛ける穴
268  透明なポケット        269  モナリザの絵
270  ポスターボード        272  保持器  
274  ボード                276  掛ける穴
278  モナリザのポスター    280  透明と軟質シート
300  アート額縁            302  額縁本体
304  額縁ガラス            306  後ろ盾プレート
308  額縁外囲              310  ターンボタン
312  掛ける道具            318  後ろ板
320  スプリングバネ搭載保持器
322  リベット              324  ベースプレート
326  圧縮板バネ
340  写真額縁              342  額縁本体
344  外囲                  346  ターンボタン
348  掛ける道具            350  後ろ板
352  スプリングバネ搭載保持器  354  リベット
356  スプリングバネベース  358  板バネ
500  写真額縁              502  保持器
504  額縁外囲              506  ターンボタン
508  後ろ板                510  掛ける道具
512  カンバスアート        514  張り器
516  ライナー額縁          518  後ろ盾プレート
530  張り器                532  格子
534  カンバスシート、アート    536  ライナー額縁
538  スペーサバー          540  受け穴
542  受け穴                544  止め釘
546  ステップ
550  写真額縁              552  額縁ステップ
554  保持器                556  ガラス
558  マットボード          560  スペーサ
562  マウントボード        564  後ろ盾プレート
566  後ろ板
【図１】
2007504930.tif 000003
【図２】
2007504930.tif 000004
【図３】
2007504930.tif 000005
【図４】
2007504930.tif 000006
【図５】
2007504930.tif 000007
【図９】
2007504930.tif 000008
【図１０】
2007504930.tif 000009
【図１３】
2007504930.tif 000010
【図１４】
2007504930.tif 000011
【図２０】
2007504930.tif 000012
【図２１】
2007504930.tif 000013
【図２２】
2007504930.tif 000014
【図２３】
2007504930.tif 000015
【図６】
2007504930.tif 000016
【図７】
2007504930.tif 000017
【図８】
2007504930.tif 000018
【図１１】
2007504930.tif 000019
【図１２】
2007504930.tif 000020
【国際調査報告】
2007504930.tif 000021
2007504930.tif 000022
2007504930.tif 000023